(57)【要約】      （修正有）【課題】本体正面にロアカバーと一体形成された支持軸が破損した電子機器において、新しいロアカバーごと支持軸を交換せずに、修復可能な電子機器を提供する。【解決手段】本体正面の正面部１２に一体形成された第１軸支持部１４Ｒが破損した電子機器１０において、フロントカバー１３を開閉自在に嵌合部１７Ｒにより支持していた第１軸支持部１４Ｒの代わりに、交換用軸支持部２０を追加することにより修復することができる。これにより、正面部１２を含むロアカバーごと交換しなくても修理することができる。【選択図】図１
2020035902.tif 000002
【特許請求の範囲】
【請求項１】
略立方形の本体の正面側で開口部が存在する側面部と、
前記開口部の横で、前記側面部に立設された第１軸支持部と、
前記第１軸支持部の先端に前記側面部の水平方向で、本体の外側向きに円筒状に伸びる第１軸部を有し、
略長円形で前記第１軸部と水平方向に嵌合する嵌合部を有し、前記第１軸部と前記嵌合部により開閉自在に支持されるフロントカバーと、
を有する電子機器において、
前記第１軸支持部が破損した際に、前記開口部へ挿入され、前記嵌合部により開閉自在に前記フロントカバーを支持する交換用軸支持部で代替する、
電子機器。
【請求項２】
前記交換用軸支持部は、板状の蓋部と、前記蓋部の一方の面に立設され、弾性を有し、先端に返しを有する板で形成される脚部と、前記蓋部の他方の面に立設された第２軸支持部と、前記第２軸支持部の先端に前記蓋部と平行に、円筒状に伸びる第２軸部を有する、請求項１記載の電子機器。
【請求項３】
前記側面部の前記開口部は、前記第１軸部が成形される際に使用されるエジェクタピンにより生じるエジェクタ孔である、請求項１記載の電子機器。
【請求項４】
さらに第２軸支持部の基部に立設され、前記交換用軸支持部が前記開口部に挿入された際に、前記第１軸支持部の基部の残部を収容する残部回避部を有する、請求項１記載の電子機器。
【発明の詳細な説明】
【技術分野】
【０００１】
本発明は、本体正面に開閉自在に支持されたフロントカバーを有する電子機器に関する。
【背景技術】
【０００２】
金融機関の店舗等では、窓口で来客対応用端末として電子機器が使用される。このような電子機器の正面側は、側面側と底面側とが一体になった樹脂製のロアカバーで覆われ、ＤＶＤ（Digital Versatile Disc）ドライブとＵＳＢ（Universal Serial Bus）端子とを有している。一方で電子機器は、本体の正面側の端子への意図しない操作を防ぐため、本体の正面側の下部に立設された樹脂製の支持軸により開閉自在に支持され、取り外し可能なフロントカバーを有する（特許文献１）。
【０００３】
つまり、電子機器は、フロントカバーを閉じられることにより、本体の正面側の端子を操作することができなくなるため、フロントカバーはたびたび開閉される態様で使用される。
【０００４】
図５は、従来の電子機器の一例であり、フロントカバーが閉じた状態を示す外観斜視図である。図６は、従来の電子機器の一例であり、フロントカバーが開いた状態を示す外観斜視図である。図７は、従来の電子機器の一例で、フロントカバーを取り外した状態を示す外観斜視図である。図８は、従来の電子機器の一例で、軸支持部を拡大した部分拡大図である。図９は、従来の電子機器の一例で、軸支持部が破損した状態を示す外観斜視図である。図１０は、従来の電子機器の一例で、破損した軸支持部を拡大した部分拡大図である。
【０００５】
図６に示した従来の電子機器１００は、開閉可能にフロントカバー１０３を閉じた状態で使用される。また従来の電子機器１００は、図７に示すように、正面側の端子を利用する際に、フロントカバー１０３を開けた状態で使用される。
【０００６】
従来の電子機器１００は、本体正面側で開口部１０１Ｒと開口部１０１Ｌとの存在する正面部１０２と、本体の正面側を開閉自在に覆い別部品のフロントカバー１０３とを有する。正面部１０２は、正面部１０２と底面側と側面側とを覆う樹脂製のロアカバー１０６の一部で形成されている。
【０００７】
正面部１０２は、正面部１０２に立設され、フロントカバー１０３を支持する第１軸支持部１０４Ｒと第１軸支持部１０４Ｌとを有する。第１軸支持部１０４Ｒは、ロアカバー１０６と一体に形成され、開口部１０１Ｒの左横に設けられ、先端に本体の右側方向へ円筒形に立設された第１軸部１０５Ｒを有する。第１軸支持部１０４Ｌは、ロアカバー１０６と一体に形成され、開口部１０１Ｌの右横に設けられ、先端に本体の左側方向へ円筒形に立設された第１軸部１０５Ｌを有する。なお、開口部１０１Ｒと、開口部１０１Ｌとは、正面部１０２を含むロアカバー１０６の射出成型の際に、第１軸部１０５Ｒと第１軸部１０５Ｌと成形するための型を支持するエジェクタピン用のエジェクタ孔である。
【０００８】
フロントカバー１０３は、第１軸部１０５Ｌと第１軸部１０５Ｒとに嵌合する嵌合部１０７Ｒと嵌合部１０７Ｌとを有している。嵌合部１０７Ｒと嵌合部１０７Ｌとは、フロントカバー１０３と一体に形成され、フロントカバー１０３を閉じた状態で、ちょうど第１軸支持部１０４Ｌに対向する位置に嵌合部１０７Ｌが設けられ、第１軸部１０５Ｒに対向する位置に嵌合部１０７Ｒが設けられている。また、嵌合部１０７Ｌと第１軸部１０５Ｌおよび嵌合部１０７Ｒと第１軸部１０５Ｒは、それぞれ嵌合し、フロントカバー１０３を開閉自在に支持する。
【０００９】
この電子機器１００において、フロントカバー１０３は、開かれた状態で、上方向から下方向へ応力をかけられることにより、第１軸部１０５Ｌと嵌合部１０７Ｌおよび第１軸部１０５Ｒと嵌合部１０７Ｒの嵌合が外れることにより、本体より取り外しが可能である。
【００１０】
また、第１軸支持部１０４Ｒの周囲を拡大した図を図８に示している。しかし、フロントカバー１０３は、上方向から下方向以外の向きに応力をかけられる場合に、図９に示すように、樹脂製の第１軸部１０５Ｒが物理的に破損する可能性がある。なお、破損状態については、第１軸支持部１０４Ｒごと破損する態様で破損する場合もある。このような状態では、フロントカバー１０３を支持することができない。
【００１１】
また、図９における第１軸支持部１０４Ｒの周囲を拡大した図を図１０に示している。図８と比較すると、第１軸部１０５Ｒが破損により失われている。
【先行技術文献】
【特許文献】
【００１２】
【特許文献１】特開２０１６−１５４２５号公報
【発明の概要】
【発明が解決しようとする課題】
【００１３】
従来の電子機器は、フロントカバーを支持する支持軸が破損した場合に、支持軸がロアカバーと一体形成されているため、支持軸だけを交換することができなかった。このため、破損した支持軸を交換する場合は、一度ロアカバーごと本体から外し、新しいロアカバーごと交換しなければならなかった。
【００１４】
本発明は、このような点を鑑みてなされたものであり、本体正面にロアカバーと一体形成された支持軸が破損した電子機器において、新しいロアカバーごと支持軸を交換せずに、修復することができることを目的とする。
【課題を解決するための手段】
【００１５】
本発明の一観点によれば、略立方形の本体の正面側で開口部が存在する側面部と、開口部の横で、側面部に立設された第１軸支持部と、第１軸支持部の先端に側面部の水平方向で、本体の外側向きに円筒状に伸びる第１軸部を有し、略長円形で第１軸部と水平方向に嵌合する嵌合部を有し、第１軸部と嵌合部により開閉自在に支持されるフロントカバーと、を有する電子機器が提供される。
【００１６】
電子機器においては、第１軸支持部が破損した際に、開口部へ挿入され、嵌合部により開閉自在にフロントカバーを支持する交換用軸支持部で代替する。
【発明の効果】
【００１７】
本体正面にロアカバーと一体形成された支持軸が破損した電子機器において、新しいロアカバーごと支持軸を交換せずに、修復することができるという効果がある。
【図面の簡単な説明】
【００１８】
【図１】実施の形態に係る電子機器の一構成例を示す分解斜視図である。
【図２】実施の形態に係る電子機器の一部の部分拡大図である。
【図３】実施の形態に係る交換用軸支持部の一構成例を示す斜視図である。
【図４】実施の形態に係る開口部の本体の奥側からの外観斜視図の一部を拡大した図であり、（Ａ）は、交換用軸支持部の挿入前を示し、（Ｂ）は、交換用軸支持部の挿入後を示している。
【図５】従来の電子機器の一例であり、フロントカバーが閉じた状態を示す外観斜視図である。
【図６】従来の電子機器の一例であり、フロントカバーが開いた状態を示す外観斜視図である。
【図７】従来の電子機器の一例で、フロントカバーを取り外した状態を示す外観斜視図である。
【図８】従来の電子機器の一例で、軸支持部を拡大した部分拡大図である。
【図９】従来の電子機器の一例で、軸支持部が破損した状態を示す外観斜視図である。
【図１０】従来の電子機器の一例で、破損した軸支持部を拡大した部分拡大図である。
【発明を実施するための形態】
【００１９】
以下、本発明の実施の形態について、図面を参照して詳細に説明する。図１は、実施の形態に係る電子機器の一構成例を示す分解斜視図である。図２は、実施の形態に係る電子機器の一部の部分拡大図である。図３は、実施の形態に係る交換用軸支持部の一構成例を示す斜視図である。
【００２０】
電子機器１０は、図１に示すように、本体の正面側で左右に各１ずつ開口部１１Ｒと開口部１１Ｌとが存在する正面部１２と、本体とは別部品で本体の正面側を覆うフロントカバー１３と、本体とは別部品で支持軸の破損時に修理に用いる交換用軸支持部２０とを有する。
【００２１】
正面部１２は、電子機器１０（本体）の側面部であり、開口部１１Ｌの右側に立設された第１軸支持部１４Ｌを有する。また、正面部１２は、開口部１１Ｒの左側に立設された第１軸支持部１４Ｒを有するが、図１においては破損状態である為基部のみが残っている状態である。さらに、正面部１２は、ＤＶＤドライブとＵＳＢ端子とを有している。
【００２２】
第１軸支持部１４Ｌは、先端に正面部１２の左方向に円筒状上に伸びる第１軸部１５Ｌを有する。第１軸支持部１４Ｒは、本来であれば図示しない第１軸部１５Ｒを有するが、図１においては、第１軸支持部１４Ｒの先端ごと破損して剥離している状態である。フロントカバー１３は、第１軸部１５Ｌと嵌合する嵌合部１７Ｌと、第１軸部１５Ｒと嵌合していた嵌合部１７Ｒとを有し、開閉自在に支持されていた。
【００２３】
交換用軸支持部２０は、開口部１１Ｒへ挿入された状態で固定される。このため、この際、第１軸支持部１４Ｒの残部は、破損後に交換用軸支持部２０に衝突しない高さまで、切除される必要がある。
【００２４】
交換用軸支持部２０は、図３に示すように交換用軸支持部２０を固定する脚部２１と、開口部１１Ｒを塞ぐ蓋部２２と、破損した第１軸支持部１４Ｒの代替となる第２軸支持部２３と、破損した第１軸部の代替となる第２軸部２４と、破損した第１軸支持部１４Ｒの基部が衝突しないように空間を設ける残部回避部２５とを有している。
【００２５】
脚部２１は、開口部１１Ｒに挿入可能に、弾性を有する４枚の先端に返しを有する板で形成されている。また、脚部２１は、開口部１１Ｒに押し込まれた際に、先端の返しが衝突して、返しを支持する板が内側にたわむことにより押し込まれ、返しの部分が開口部１１Ｒの奥に移動した時点で、板のたわみが外側に戻ることにより抜けることがない。なお、脚部２１は、開口部１１Ｒが円形の場合に、円筒状であってもよい。
【００２６】
蓋部２２は、板状で脚部２１の返しの反対側の端部に立設され接合されている。第２軸支持部２３は、蓋部２２に立設され、開口部１１Ｒに挿入された状態で、第１軸支持部１４Ｒがあった位置に備えられ、破損した第１軸部のあった位置に嵌合部１７Ｒと嵌合可能な第２軸部２４を備える。
【００２７】
残部回避部２５は、第２軸支持部２３の基部で蓋部２２と反対側の端部から、第２軸部２４と反対側に垂直に伸びている。また、残部回避部２５は、交換用軸支持部２０が、開口部１１Ｒに挿入された際に、正面部１２と第２軸支持部２３の基部との間に凹状の空間を設ける。この空間は、破損した第１軸支持部１４Ｒの残部が収容される。
【００２８】
次に図４を用いて、電子機器１０が、交換用軸支持部２０により修理される態様を説明する。
図４は、実施の形態に係る開口部の本体の奥側からの外観斜視図の一部を拡大した図であり、（Ａ）は、交換用軸支持部の挿入前を示し、（Ｂ）は、交換用軸支持部の挿入後を示している。
【００２９】
電子機器１０は、交換用軸支持部２０が正面部１２から、脚部２１を先頭にして開口部１１Ｒを貫通するように押し込まれる。また、交換用軸支持部２０は、弾性を有する脚部２１の返し部分が、開口部１１Ｒの内側に干渉することで一度内側にたわむ。脚部２１の返し部分は、さらに押し込まれて、開口部１１Ｒを貫通すると、図４（Ｂ）に示すような態様で交換用軸支持部２０を抜けないようにする。
【００３０】
以上のような構成の電子機器１０は、第１軸支持部１４Ｒが破損した際に、第１軸支持部１４Ｒの代替として、交換用軸支持部２０が開口部１１Ｒに挿入される。電子機器１０は、交換用軸支持部２０が破損前の第１軸支持部と同じ位置に第２軸支持部２３が位置し、第２軸部２４と嵌合部１７Ｒにより開閉自在にフロントカバー１３を支持する。
【００３１】
また、破損後の第１軸支持部１４Ｒが完全に剥離している場合は、交換用軸支持部２０の交換に支障はない。しかし、第１軸支持部１４Ｒの基部が残部として残っている場合は、そのまま交換用軸支持部２０を差し込むと第２軸支持部２３の基部が、第１軸支持部１４Ｒの残部に衝突してしまい、正面部１２にうまく固定させることができない。このような場合は、通常、第１軸支持部１４Ｒの残部を工具等で影響のない程度にまで、切除する必要がある。しかし、残部回避部２５は、第１軸支持部１４Ｒの多少の残部があっても、第２軸支持部２３の基部と、正面部１２との間に凹状の空間を作るため、交換用軸支持部２０に衝突することがない。これにより、交換用軸支持部２０を、正面部１２にしっかり固定させることができる。
【００３２】
上記のように、本体正面の正面部１２に一体形成された第１軸支持部１４Ｒが破損した電子機器１０において、フロントカバー１３を開閉自在に嵌合部１７Ｒにより支持していた第１軸支持部１４Ｒの代わりに、交換用軸支持部２０の第２軸支持部２３を追加することにより修復することができる。これにより、正面部１２を含むロアカバーごと交換しなくても修理することができる為、修理の手間を減らし、コストを抑えることができると言う効果がある。
【００３３】
なお、本文においては、正面部１２の右側の第１軸支持部１４Ｒが破損した場合を例に挙げて説明したが、第１軸支持部１４Ｌが破損した場合においても、交換用軸支持部２０は、同様の効果を奏することが可能である。
【符号の説明】
【００３４】
１０  電子機器
１１Ｌ  開口部
１１Ｒ  開口部
１２  正面部
１３  フロントカバー
１４Ｌ  第１軸支持部
１４Ｒ  第１軸支持部
１５Ｌ  第１軸部
１５Ｒ  第１軸部
１７Ｌ  嵌合部
１７Ｒ  嵌合部
２０  交換用軸支持部
２１  脚部
２２  蓋部
２３  第２軸支持部
２４  第２軸部
２５  残部回避部
【図１】
2020035902.tif 000003
【図２】
2020035902.tif 000004
【図３】
2020035902.tif 000005
【図４】
2020035902.tif 000006
【図５】
2020035902.tif 000007
【図６】
2020035902.tif 000008
【図７】
2020035902.tif 000009
【図８】
2020035902.tif 000010
【図９】
2020035902.tif 000011
【図１０】
2020035902.tif 000012